(57)【要約】【課題】パチンコホール遊技島において、搬送レーンとパチンコ玉との摩擦によって生じる静電気を有効に放電する。【解決手段】複数の遊技台２と、遊技台２のそれぞれに対してパチンコ玉または遊技メダルを搬送する絶縁性の搬送レーン３，４と、搬送レーン３，４に沿って延在しているとともに、搬送レーン３，４の周囲を少なくとも部分的に覆うように、搬送レーン３，４に近接または接触して設けられた導電性のシールドと、シールドを接地電位にアースするアース線８とを有する。【選択図】図１
2005261752.tif 000002
【特許請求の範囲】
【請求項１】
パチンコホール遊技島において、
複数の遊技台と、
前記遊技台のそれぞれに対してパチンコ玉または遊技メダルを搬送する絶縁性の搬送レーンと、
前記搬送レーンに沿って延在しているとともに、前記搬送レーンの周囲を少なくとも部分的に覆うように、前記搬送レーンに近接または接触して設けられた導電性のシールドと、
前記シールドを接地電位にアースするアース線と
を有することを特徴とするパチンコホール遊技島。
【請求項２】
前記搬送レーンは、メインレーンと、当該メインレーンから分岐して前記遊技台のそれぞれにパチンコ玉または遊技メダルを搬送する複数のサブレーンとを有し、
前記シールドは、前記メインレーンの周囲と、前記複数のサブレーンのそれぞれの周囲とを覆うように設けられていることを特徴とする請求項１に記載されたパチンコホール遊技島。
【請求項３】
前記シールドは、導電層を主体とした単層構造、または、磁性層および誘電層の少なくとも一方を導電層に積層した積層構造を有することを特徴とする請求項１または２に記載されたパチンコホール遊技島の絶縁構造。
【請求項４】
前記遊技台に設けられた電気回路をさらに有し、
前記シールドには、前記電気回路が電気的に接続されていることを特徴とする請求項１から３のいずれかに記載されたパチンコホール遊技島。
【請求項５】
前記電気回路は、トランスであって、
前記シールドと前記トランスとは、アースインダクタを介して電気的に接続されていることを特徴とする請求項４に記載されたパチンコホール遊技島。
【発明の詳細な説明】
【技術分野】
【０００１】
本発明は、パチンコホール遊技島に係り、特に、パチンコ玉または遊技メダルを搬送する搬送レーンの静電気対策に関する。
【背景技術】
【０００２】
一般に、パチンコホールでは、パチンコ台またはスロットルマシンといった遊技台を複数並べることによって一つの島（グループ）が形成されており、このような遊技島が何列も設けられている。遊技島を構成する個々の遊技台には、絶縁性の搬送レーンを介してパチンコ玉や遊技メダルが供給される。
【０００３】
なお、本願発明が主眼とする搬送レーンのノイズ対策に関するものではないが、特許文献１には、遊技台用被研磨物研磨装置が開示されている。この研磨装置では、まず、研磨対象となるパチンコ玉群に樹脂研磨材（ペレット）を混入し、これらを撹拌することにより、パチンコ玉の表面を研磨する。研磨されたパチンコ玉群は、樹脂研磨材との分離後に、遊技台や玉貸し機に再び供給される。分離によって生じた樹脂研磨材は、樹脂製ホースを介して研磨機に戻される。パチンコ玉が樹脂製ホースを流れる際に発生する静電気は、このホース内に接地状態で設けられた多数の導電ピンを介して放電される。これにより、パチンコ玉と樹脂製ホースとの摩擦に起因する静電気の帯電を防ぐ。
【特許文献１】実開平５−５１８４号公報
【発明の開示】
【発明が解決しようとする課題】
【０００４】
ところで、遊技台には、これを電子制御するためのコンピュータが内蔵されているが、このコンピュータは、ノイズ対策が施されていない電源に単独接続されている。そのため、コンピュータは、電位的に常時不安定な状態にあり、侵入ノイズ、放射ノイズ、発生ノイズ、或いは静電気等に対して非常に弱く、誤動作を起こし易い。特に、遊技島の搬送レーンは樹脂製の絶縁体で形成されているが、この場合、パチンコ玉（または遊技メダル）と搬送レーンとの摩擦によって発生した静電気が電源ラインや信号ラインに重畳して、コンピュータの誤動作を助長する。
【０００５】
本発明は、かかる事情に鑑みてなされたものであり、その目的は、搬送レーンと、被搬送物（パチンコ玉または遊技メダル）との摩擦によって生じる静電気を有効に放電することである。
【課題を解決するための手段】
【０００６】
かかる課題を解決するために、本発明は、複数の遊技台と、遊技台のそれぞれに対してパチンコ玉または遊技メダルを搬送する絶縁性の搬送レーンと、搬送レーンに沿って延在しているとともに、搬送レーンの周囲を少なくとも部分的に覆うように、搬送レーンに近接または接触して設けられた導電性のシールドと、シールドを接地電位にアースするアース線とを有するパチンコホール遊技島を提供する。
【０００７】
ここで、本発明において、搬送レーンは、メインレーンと、このメインレーンから分岐して遊技台のそれぞれにパチンコ玉または遊技メダルを搬送する複数のサブレーンとを有していてもよい。この場合、シールドは、メインレーンの周囲と、複数のサブレーンのそれぞれの周囲とを覆うように設けられていることが好ましい。
【０００８】
また、本発明において、シールドは、導電層を主体とした単層構造、または、磁性層および誘電層の少なくとも一方を導電層に積層した積層構造を有することが好ましい。
【０００９】
また、本発明において、遊技台に設けられた電気回路のノイズ対策として、この電気回路とシールドとを電気的に接続することが好ましい。特に、電気回路がトランスの場合には、両者をアースインダクタを介して電気的に接続することが望ましい。
【発明の効果】
【００１０】
本発明によれば、搬送レーンの周囲をアースされたシールドで覆うことにより、搬送レーンをパチンコ玉（または遊技メダル）が流れる際に発生する静電気を有効に放電することができる。
【発明を実施するための最良の形態】
【００１１】
図１は、パチンコホール遊技島の全体構成図である。パチンコホールには、複数のパチンコホール遊技島１が設けられており、単一の遊技島１は、パチンコ台やスロットルマシンといった遊技台２を複数並べてグループ化した構成になっている。遊技島１を構成する個々の遊技台２には、絶縁性の搬送レーン３，４を介してパチンコ玉や遊技メダルといった被搬送物が搬送・供給される。本実施形態では、一例として、遊技台２をパチンコ台とし、被搬送物をパチンコ玉として説明するが、遊技台をスロットルマシンとし、被搬送物を遊技メダルとした場合についても同様である。上流から搬送された多数のパチンコ玉は、メインレーン３を流れるとともに、その一部がメインレーン３より分岐したサブレーン４を流れて、それぞれの遊技台２に供給される。本実施形態における搬送レーン３，４は、アースされたシールドによって覆われた特徴的なシールド構造を有している。また、それぞれの遊技台２には、電気回路の一例として、遊技台２に供給する電源を変圧するノイズフィルタ一体型のトランス５が設けられており、このトランス５の電源系（グランド系）は、アースインダクタを介して、搬送レーン３，４を覆うシールドに接続されている。
【００１２】
図２は、メインレーン３のシールド構造のＡ−Ａ断面図である。このシールド構造は、樹脂等で形成された絶縁性のメインレーン３と、導電性のシールド６と、アース線８とを有する。メインレーン３は、弓状に湾曲した樋形状を有し、その延在方向に沿って、内周面上をパチンコ玉が流れる。シールド６は、メインレーン３に沿って延在しているとともに、メインレーン３の周囲を部分的に覆うように、メインレーン３に近接して設けられている。このシールド６は、例えば、図５（ａ）に示すように、銅、アルミニウム、鉄といった固有抵抗が比較的低い金属系の導電層６ａを主体とした単層構造であってもよいし、同図（ｂ）〜（ｄ）に示すような積層構造であってもよい。すなわち、同図（ｂ）のシールド６は、ファインセラミスク等の誘電体よりなる誘電層６ｂを導電層６ａ上に積層したものであり、同図（ｃ）のシールド６は、フェライト、非晶質金属（アモルファス）、金属ダストといった磁性体よりなる磁性層６ｃを導電層６ａ上に積層したものである。また、同図（ｄ）のシールド６は、導電層６ａ上に誘電層６ｂと磁性層６ｃとを積層したものである。図２に示した構成において、シールド６は、メインレーン３の周囲を部分的に覆っているが、これは一例であって、その周囲を完全に覆ってもいてもよい。また、シールド６は、メインレーン３より離間して設けられているが、これも一例であって、メインレーン３と直接接触するように設けてもよい。また、シールド６には、アース線８が接続されており、このアース線８を介してシールド６が接地電位にアースされる。
【００１３】
図３は、サブレーン４のシールド構造のＢ−Ｂ断面図である。このシールド構造は、メインレーン３のそれと基本的に同様であり、絶縁性のサブレーン４と、導電性のシールド７と、アース線８とを有する。サブレーン４は、メインレーン３と遊技台２との間に設けられており、メインレーン３を流れるパチンコ玉の一部が分岐して、遊技台２に搬送される。シールド７は、サブレーン４に沿って延在しているとともに、メインレーン３と同様に、サブレーン４の周囲を少なくとも部分的に覆うように、サブレーン４に近接または接触して設けられている。このシールド７には、アース線８が接続されており、このアース線８を介してシールド７が接地電位にアースされる。なお、シールド７の構造については、図５に示したシールド６と同様であるから、ここでの説明を省略する。
【００１４】
本実施形態によれば、搬送レーン３，４に帯電した静電気を有効に放電することができる。パチンコ玉が搬送レーン３，４を流れると、両者の摩擦によって静電気が発生する。しかしながら、搬送レーン３，４の周囲は、アースされたシールド６，７によって覆われているので、発生した静電気は、シールド６，７によって瞬時に除去される。したがって、パチンコホール内に存在するコンピュータ（ＣＰＵ）や各種の電気回路に関して、静電気に起因した誤動作が生じるのを有効に防止することが可能になる。
【００１５】
また、本実施形態によれば、トランス５に代表される電気回路をシールド６，７に電気的に接続することによって、電気回路の耐ノイズ性の向上を図ることができる。図１の例において、トランス５の電源系は、アースインダクタを介して、サブレーン４を覆うシールド７に接続されている。これにより、遊技台２からの発生ノイズ、放射ノイズ、静電気等を有効に除去することが可能になる。また、このような電気的な接続は、トランス５以外の電気回路におけるノイズ対策にも有効である。例えば、電気回路の信号ラインに金属または金属／磁性体のシールドを施し、このシールドにノイズ侵入対策部品を実装した上で、これを搬送レーン３，４のシールド６，７に電気的に接続するといった如くである。この場合、信号ラインに重畳したノイズおよび信号ラインから放出されるノイズは、シールド６，７に放出されるので、これらのノイズを有効に減衰させることができる。
【図面の簡単な説明】
【００１６】
【図１】パチンコホール遊技島の全体構成図
【図２】メインレーンのシールド構造のＡ−Ａ断面図
【図３】サブレーンのシールド構造のＢ−Ｂ断面図
【図４】シールドの断面図
【符号の説明】
【００１７】
１  パチンコホール遊技島
２  遊技台
３  メインレーン
４  サブレーン
５  トランス
６，７  シールド
８  アース線
６ａ  導電層
６ｂ  誘電層
６ｃ  磁性層
【図１】
2005261752.tif 000003
【図２】
2005261752.tif 000004
【図３】
2005261752.tif 000005
【図４】
2005261752.tif 000006